(57)【特許請求の範囲】
【請求項１】
定期券としての機能と金額的価値を有するカードとしての機能とを有し、書き替え可能な印字層が設けられた非接触ＩＣカードに金額を積み増して定期券の有効期間の延長や金額的価値の追加を行う非接触ＩＣカードリチャージ機において、
上記非接触ＩＣカードに設けられた印字層に印字する印字手段と、
上記非接触ＩＣカードに対する印字の更新、金額的価値の積み増し、又は定期券の更新を選択する選択手段と、
この選択手段で印字の更新が選択された際、更新する非接触ＩＣカードの挿入を促す表示を行う表示手段と、
この表示手段の表示によって非接触ＩＣカードが挿入された際、当該非接触ＩＣカードに記録されている金額的価値の残高と金額的価値の使用履歴とを読み出す読出手段と、
この読出手段で読み出した金額的価値の残高と金額的価値の使用履歴とを上記印字手段を用いて当該非接触ＩＣカードに設けられた印字層に印字する制御を行う制御手段と、
を具備したことを特徴とする非接触ＩＣカードリチャージ機。
【請求項２】
上記制御手段により制御されて印字される金額的価値の使用履歴は、上記非接触ＩＣカードに設けられた印字層における使用履歴欄に収まる範囲の内容が印字されることを特徴とする請求項１記載の非接触ＩＣカードリチャージ機。
【請求項３】
上記制御手段により制御されて印字される金額的価値の使用履歴は、上記非接触ＩＣカードに設けられた印字層における使用履歴欄に収まらない場合に出力範囲が指定されることを特徴とする請求項１記載の非接触ＩＣカードリチャージ機。
【請求項４】
定期券としての機能と金額的価値を有するカードとしての機能とを有し、書き替え可能な印字層が設けられた非接触ＩＣカードに金額を積み増して定期券の有効期間の延長や金額的価値の追加を行う非接触ＩＣカードリチャージ機において、
上記非接触ＩＣカードに設けられた印字層に印字する印字手段と、
上記非接触ＩＣカードに対する印字の更新、金額的価値の積み増し、又は定期券の更新を選択する選択手段と、
この選択手段で金額的価値の積み増しが選択された際、更新する非接触ＩＣカードの挿入を促す表示を行う第１の表示手段と、
この第１の表示手段の表示によって非接触ＩＣカードが挿入された際、当該非接触ＩＣカードに記録されている金額的価値の残高と金額的価値の使用履歴とを読み出す読出手段と、
この読出手段で読み出した現在の金額的価値の残高を表示する第２の表示手段と、
この第２の表示手段で表示された金額的価値の残高に対して積み増す金額を入力する入力手段と、
この入力手段で入力された積み増す金額に対応する金額の投入がされた際、積み増しされた金額的価値の残高と金額的価値の使用履歴とを上記印字手段を用いて当該非接触ＩＣカードに設けられた印字層に印字する制御を行う制御手段と、
を具備したことを特徴とする非接触ＩＣカードリチャージ機。
【請求項５】
上記制御手段により制御されて印字される金額的価値の使用履歴は、指定により空白にすることを特徴とする請求項１または請求項４記載の非接触ＩＣカードリチャージ機。
【請求項６】
上記制御手段により制御されて印字される金額的価値の使用履歴は、指定により積み増し前の使用履歴を印字することを特徴とする請求項１または請求項４記載の非接触ＩＣカードリチャージ機。
【請求項７】
定期券としての機能と金額的価値を有するカードとしての機能とを有し、書き替え可能な印字層が設けられた非接触ＩＣカードに金額を積み増して定期券の有効期間の延長や金額的価値の追加を行う非接触ＩＣカードリチャージ機において、
上記非接触ＩＣカードに設けられた印字層に印字する印字手段と、
上記非接触ＩＣカードに対する印字の更新、金額的価値の積み増し、又は定期券の更新を選択する選択手段と、
この選択手段で印字の更新が選択された際、更新する非接触ＩＣカードの挿入を促す表示を行う表示手段と、
この表示手段の表示によって非接触ＩＣカードが挿入された際、当該非接触ＩＣカードに記録されている金額的価値の残高と金額的価値の使用履歴とを読み出す読出手段と、
この読出手段で読み出した金額的価値の残高と金額的価値の使用履歴とを上記印字手段を用いて当該非接触ＩＣカードに設けられた印字層に印字する制御を行う第１の制御手段と、
前記金額的価値の残高と金額的価値の使用履歴とを、別帳票に印字出力する制御を行う第２の制御手段と、
を具備したことを特徴とする非接触ＩＣカードリチャージ機。
【請求項８】
定期券としての機能と金額的価値を有するカードとしての機能とを有し、書き替え可能な印字層が設けられた非接触ＩＣカードに金額を積み増して定期券の有効期間の延長や金額的価値の追加を行う非接触ＩＣカードリチャージ機において、
上記非接触ＩＣカードに設けられた印字層に印字する印字手段と、
上記非接触ＩＣカードに対する印字の更新、金額的価値の積み増し、又は定期券の更新を選択する選択手段と、
この選択手段で金額的価値の積み増しが選択された際、更新する非接触ＩＣカードの挿入を促す表示を行う第１の表示手段と、
この第１の表示手段の表示によって非接触ＩＣカードが挿入された際、当該非接触ＩＣカードに記録されている金額的価値の残高と金額的価値の使用履歴とを読み出す読出手段と、
この読出手段で読み出した現在の金額的価値の残高を表示する第２の表示手段と、
この第２の表示手段で表示された金額的価値の残高に対して積み増す金額を入力する入力手段と、
この入力手段で入力された積み増す金額に対応する金額の投入がされた際、積み増しされた金額的価値の残高と金額的価値の使用履歴とを上記印字手段を用いて当該非接触ＩＣカードに設けられた印字層に印字する制御を行う第１の制御手段と、
この入力手段で入力された積み増す金額に対応する金額の投入がされた際、積み増しされた金額的価値の残高と金額的価値の使用履歴とを、別帳票に印字出力する制御を行う第２の制御手段と、
を具備したことを特徴とする非接触ＩＣカードリチャージ機。
【請求項９】
定期券としての機能と金額的価値を有するカードとしての機能とを有し、書き替え可能な印字層が設けられた非接触ＩＣカードに金額を積み増して定期券の有効期間の延長や金額的価値の追加を行う非接触ＩＣカードリチャージ機において、
上記非接触ＩＣカードに設けられた印字層に印字する印字手段と、
上記非接触ＩＣカードに対する印字の更新、金額的価値の積み増し、又は定期券の更新を選択する選択手段と、
この選択手段で定期券の更新が選択された際、更新する非接触ＩＣカードの挿入を促す表示を行う表示手段と、
この表示手段の表示によって非接触ＩＣカードが挿入された際、当該非接触ＩＣカードに記録されている定期券の情報と金額的価値の残高と金額的価値の使用履歴とを読み出す読出手段と、
この読出手段で読み出した定期券の情報に基づいて定期券情報の更新を制御する第１の制御手段と、
上記読出手段で読み出した金額的価値の残高と金額的価値の使用履歴とを上記印字手段を用いて当該非接触ＩＣカードに設けられた印字層に印字する制御を行う第２の制御手段と、
を具備したことを特徴とする非接触ＩＣカードリチャージ機。
【発明の詳細な説明】
【０００１】
【発明の属する技術分野】
この発明は、例えば定期券やＳＦカードとして非接触ＩＣカードを利用した自動改札システムに用いられる非接触ＩＣカードリチャージ機に関する。
【０００２】
【従来の技術】
従来の自動改札システムでは、情報媒体として磁気記録券が用いられてきたが、近年、非接触ＩＣカードが実用期に入りつつあることから、非接触ＩＣカードを利用した自動改札システムが検討されている。
【０００３】
非接触ＩＣカードを利用した自動改札システムは、非接触ＩＣカードを自動改札機にかざすだけで通過できるため、ユーザにとっては利便性が増し、鉄道事業者にとっては媒体の搬送機構がなくなるので機器の信頼性が向上し、保守費用が削減できるメリットがある。ただ、単なる非接触ＩＣカードではカードに電子情報として記録されている情報が目視できないため、カード上に書き替え可能な印字層（以下リライト層）を設けて、カードの発行情報や使用履歴をリライト層に印字することが検討されている。
【０００４】
ちなみに、従来の磁気カードを用いたＳＦカード（ストアドフェアカード）では図８に示すような追記型の使用履歴印字が使用されている。使用の都度1行づつ使用履歴が追記されていく形態であり印字を消去して再利用することはできない。
【０００５】
また、磁気記録券を用いた従来のシステムでは、媒体は使い捨てであり、定期券は有効期間が経過した時点で、ＳＦカードについては残高がゼロになった時点で廃棄となる。
【０００６】
また、ＳＦカードにおける使用履歴の印字フォーマットは固定であり、ユーザの希望に応じて印字様式を変更することはできなかった。また他の用紙に使用履歴をプリントして例えば会社等での旅費精算に用いるといったこともできなかった。
【０００７】
【発明が解決しようとする課題】
上記したように、磁気記録券を用いた従来のシステムでは、媒体は使い捨てであり、定期券は有効期間が経過した時点で、ＳＦカードについては残高がゼロになった時点で廃棄となり、また、ＳＦカードにおける使用履歴の印字フォーマットは固定であり、ユーザの希望に応じて印字様式を変更することができないという問題があった。
【０００８】
そこで、この発明は、非接触ＩＣカードを用いて繰り返し再生して利用でき、さらに最新情報を目視することができるようにした非接触ＩＣカードリチャージ機を提供することを目的とする。
【０００９】
【課題を解決するための手段】
この発明の非接触ＩＣカードリチャージ機は、定期券としての機能と金額的価値を有するカードとしての機能とを有し、書き替え可能な印字層が設けられた非接触ＩＣカードに金額を積み増して定期券の有効期間の延長や金額的価値の追加を行う非接触ＩＣカードリチャージ機において、上記非接触ＩＣカードに設けられた印字層に印字する印字手段と、上記非接触ＩＣカードに対する印字の更新、金額的価値の積み増し、又は定期券の更新を選択する選択手段と、この選択手段で印字の更新が選択された際、更新する非接触ＩＣカードの挿入を促す表示を行う表示手段と、この表示手段の表示によって非接触ＩＣカードが挿入された際、当該非接触ＩＣカードに記録されている金額的価値の残高と金額的価値の使用履歴とを読み出す読出手段と、この読出手段で読み出した金額的価値の残高と金額的価値の使用履歴とを上記印字手段を用いて当該非接触ＩＣカードに設けられた印字層に印字する制御を行う制御手段とから構成されている。
【００１０】
この発明の非接触ＩＣカードリチャージ機は、定期券としての機能と金額的価値を有するカードとしての機能とを有し、書き替え可能な印字層が設けられた非接触ＩＣカードに金額を積み増して定期券の有効期間の延長や金額的価値の追加を行う非接触ＩＣカードリチャージ機において、上記非接触ＩＣカードに設けられた印字層に印字する印字手段と、上記非接触ＩＣカードに対する印字の更新、金額的価値の積み増し、又は定期券の更新を選択する選択手段と、この選択手段で金額的価値の積み増しが選択された際、更新する非接触ＩＣカードの挿入を促す表示を行う第１の表示手段と、この第１の表示手段の表示によって非接触ＩＣカードが挿入された際、当該非接触ＩＣカードに記録されている金額的価値の残高と金額的価値の使用履歴とを読み出す読出手段と、この読出手段で読み出した現在の金額的価値の残高を表示する第２の表示手段と、この第２の表示手段で表示された金額的価値の残高に対して積み増す金額を入力する入力手段と、この入力手段で入力された積み増す金額に対応する金額の投入がされた際、積み増しされた金額的価値の残高と金額的価値の使用履歴とを上記印字手段を用いて当該非接触ＩＣカードに設けられた印字層に印字する制御を行う制御手段とから構成されている。
【００１１】
この発明の非接触ＩＣカードリチャージ機は、定期券としての機能と金額的価値を有するカードとしての機能とを有し、書き替え可能な印字層が設けられた非接触ＩＣカードに金額を積み増して定期券の有効期間の延長や金額的価値の追加を行う非接触ＩＣカードリチャージ機において、上記非接触ＩＣカードに設けられた印字層に印字する印字手段と、上記非接触ＩＣカードに対する印字の更新、金額的価値の積み増し、又は定期券の更新を選択する選択手段と、この選択手段で定期券の更新が選択された際、更新する非接触ＩＣカードの挿入を促す表示を行う表示手段と、この表示手段の表示によって非接触ＩＣカードが挿入された際、当該非接触ＩＣカードに記録されている定期券の情報と金額的価値の残高と金額的価値の使用履歴とを読み出す読出手段と、この読出手段で読み出した定期券の情報に基づいて定期券情報の更新を制御する第１の制御手段と、上記読出手段で読み出した金額的価値の残高と金額的価値の使用履歴とを上記印字手段を用いて当該非接触ＩＣカードに設けられた印字層に印字する制御を行う第２の制御手段とから構成されている。
【００１２】
【発明の実施の形態】
以下、この発明の一実施の形態について図面を参照して説明する。
【００１３】
まず、この実施の形態で説明する非接触ＩＣカードリチャージ機は、期限切れになった定期券を更新処理して再利用を可能にしたり、残高がゼロか残りすくなくなったＳＦ金額に金額を積み増しして再利用を可能にする非接触ＩＣカードを用いた自動改札システム内の１機器である。
【００１４】
非接触ＩＣカードを用いたシステムが導入される初期の時期には、現状の磁気記録券も併用されるケースが大部分であるので、現状の券売機に非接触ＩＣカードのインタフェースを付加して、磁気記録券の券売機と非接触ＩＣカードリチャージ機を兼用する機器になることも考えられるが、以下では説明を単純化するために、非接触ＩＣカードリチャージ機専用機について説明する。
【００１５】
図１は、この発明の非接触ＩＣカード１０の構成を示すものである。図１の（ａ）において、非接触ＩＣカード１０は、リライト層を有して券面印字としての定期券情報１１、ＳＦ残高情報１２、及びＳＦ使用履歴情報１３が印字されている。図１の（ｂ）に示す非接触ＩＣカード１０ａは、リライト層を有して券面印字としての定期券情報１１ａ、ＳＦ残高情報１２ａ、及びＳＦ使用履歴情報１３ａが印字されている。
【００１６】
図２は、非接触ＩＣカードのリチャージ機２０の接客面の外観構成を示すものである。リチャージ機２０は、タッチパネルＬＣＤ２１、ＩＣカード挿入口２２、紙幣挿入口２３、コイン投入口２４、使用履歴／レシートプリンタ用紙出口２５、釣銭返却口２６とから構成されている。このリチャージ機２０における操作と利用客への案内は、タッチパネルＬＣＤ２１で行われる。
【００１７】
図３は、非接触ＩＣカードのリチャージ機２０の概略構成を示すものである。リチャージ機２０は、全体の制御を司る主制御部３０を有している。主制御部３０には、タッチパネルＬＣＤ２１、ＩＣカードインタフェース（Ｉ／Ｆ）３１、ＩＣカード挿入口２２から挿入される非接触ＩＣカード１０のリライト層にリライトするリライト印字機構３２、紙幣挿入口２３に接続している紙幣処理ユニット３３、コイン投入口２４に接続しているコイン処理ユニット３４、使用履歴／レシートプリンタ用紙出口２５に接続しているプリンタ３５、及び上位機器と接続される上位機器インタフェース（Ｉ／Ｆ）３６とが接続されている。
【００１８】
次に、このような構成において、この発明の非接触ＩＣカードのリチャージ機２０の動作を説明する。
【００１９】
リチャージ機２０における待機状態では、図４に示す画面がタッチパネルＬＣＤ２１に表示されている。この図で分かるように、本機は第１レベルのメニューとして以下の3つを持っている。
【００２０】
１．券面印字の更新
２．ＳＦ金額の積み増し
３．定期券の更新
まず、「券面印字の更新」のメニューが選択された場合の処理を説明する。
【００２１】
このメニューでは、非接触ＩＣカード１０から最新のＳＦ残高と使用履歴情報を読み出して、非接触ＩＣカード１０の表面に設けられたリライト層（印字部）に最新のＳＦ残高１２とＳＦ使用履歴情報１３をリライト印字技術を用いて印字する。リライト印字技術の詳細は省略するが、サーマルヘッド等により、低エネルギーを与えると消色し、高エネルギーを与えると発色する記録材料を用いて書き替え可能な印字を行う技術である。
【００２２】
このメニューが選択された際、主制御部３０は、「ＩＣカードを挿入してください」のメッセージをタッチパネルＬＣＤ２１に表示し、非接触ＩＣカード１０が挿入されると図5に示す画面をタッチパネルＬＣＤ２１に表示する。この画面には、定期券情報、ＳＦ残高情報が表示される（ここでの非接触ＩＣカード１０は、定期券とＳＦ機能の兼用カードの場合について述べる。一方がない場合もある）。
【００２３】
また、使用履歴の印字方法をユーザに選択させるために、「ＩＣカードに印字」する選択ボタンと、「別帳票に印刷（有料\20）」する選択ボタンをタッチパネルＬＣＤ２１に表示する。
【００２４】
「ＩＣカードに印字」する選択ボタンが押された場合、主制御部３０は、リライト印刷機構３２を用いて非接触ＩＣカード１０の表面に使用履歴を印字する。
【００２５】
「別帳票に印刷（有料\20）」する選択ボタンが押された場合は、プリンタ３５を用いて別帳票に使用履歴を印刷出力する。この際、別帳票代として別料金を徴収する。別料金の徴収方法としては、非接触ＩＣカード１０のＳＦ残高から徴収する方法と現金投入とが考えられるが、ユーザにとっての簡便性からはＳＦ残高から徴収する方が好ましい。
【００２６】
なお、過去の使用履歴がＳＦ使用履歴情報１３の履歴欄に収まりきらない場合、主制御部３０は、タッチパネルＬＣＤ２１の画面に、「最新の履歴を印字する」、「最古の履歴を印字する」、「中問の履歴を印字する」等のメニューを表示し、ユーザに希望するものを選択させることもできる。さらに「中問の履歴を印字する」が選択された場合は、非接触ＩＣカード１０内の情報から候補となる年月を表示して、その中から選択させることができる。
【００２７】
次に、「ＳＦ金額の積み増し」のメニューが選択された場合の処理を説明する。
【００２８】
このメニューでは、ＳＦ金額がゼロまたは残り少なくなった場合にＳＦ金額を積み増しすることにより、カードのＳＦ機能を継続して使用できるようにする。
【００２９】
このメニューが選択された際、主制御部３０は、「ＩＣカードを挿入してください」のメッセージをタッチパネルＬＣＤ２１に表示し、非接触ＩＣカード１０が挿入されると図6に示す画面をタッチパネルＬＣＤ２１に表示する。この画面では現在のＳＦ残高６１と積み増し金額設定用のテンキー６２が表示される。ユーザは、テンキー６２から積み増ししたい金額を入力し、確定ボタンを押すと、図示しない画面で積み増し金額が確認された後、積み増し金額を紙幣またはコインで投入することが促される。ユーザが紙幣挿入部２３とコイン投入部２４から積み増し金額以上の金額を投入した際、主制御部３０は、ＩＣカードインタフェース３１を通して非接触ＩＣカード１０と通信し、指定金額の積み増しを行う。釣り銭が発生する場合は、コイン処理ユニット３４により釣り銭が釣銭返却口２６へ放出される。
【００３０】
また、主制御部３０は、非接触ＩＣカード１０の表面（リライト層）へ最新情報、すなわち積み増し後のＳＦ残高情報１２とＳＦ使用履歴情報１３を印字してユーザに返却するが、使用履歴の印字方法については図７に示す画面をタッチパネルＬＣＤ２１に表示してユーザが複数の選択肢の中から印字方法を選択できるようにしている。この例では、「過去の使用履歴を印字する」、「クリアする（空白にする）」、「別帳票に印刷する（有料\20）」の3つの選択肢から選択できるようにしている。印字動作については上述の「券面印字の更新」と同じであるので省略する。
【００３１】
図１の（ｂ）は、「クリアする（空白にする）」が選択された場合の非接触ＩＣカード１０ａを示し、 ＳＦ使用履歴情報１３ａが過去の履歴がクリアされて積み増し情報のみ印字されている。また、積み増ししたＳＦ残高情報１２ａも印字されている。
【００３２】
次に、「定期券の更新」のメニューが選択された場合の処理を説明する。
【００３３】
このメニューでは、期限切れまたは直前の定期券の継続更新処理を行う。この際、主制御部３０は、定期券情報１１を書き替えるとともに、最新のＳＦ残高情報１２とＳＦ使用履歴情報１３も同時に書き替える。
【００３４】
以上説明したように上記発明の実施の形態によれば、非接触ＩＣカードを繰り返し再生して利用できるとともに、リチャージ機に非接触ＩＣカードを挿入した時に、カード表面（リライト層）に最新のカード情報（最新のＳＦ残額、過去の使用履歴など）をリライト印刷技術を用いて印刷するので、非接触ＩＣカードの中の最新情報を利用者が目視で確認することができる。
【００３５】
また、リチャージ機は、ＳＦ金額積み増し時や定期券の更新時に、最新のＳＦ残額情報やＳＦ使用履歴情報の記録を行うのはもちろんのこと、単に最新のＳＦ残額情報やＳＦ使用履歴情報の記録の記入のみ行うメニューも備えているので、利用者は気軽に最新情報をカード表面（リライト層）に記録することができる。
【００３６】
また、ＳＦ金額積み増し時に過去の使用履歴を印字するか、過去の履歴を印字しない（クリアする）かをユーザの好みに応じて指定することができる。
【００３７】
さらに使用履歴をユーザの指定により別帳票にプリントアウトできるので、カード内の使用履歴情報が印字エリアに収まりきらない場合に、別帳票にカード内のすべての使用履歴情報を印刷することができる。また会社での精算などにその帳票を利用することができる。
【００３８】
また、使用履歴記入欄が満杯の場合は、自動的に最新のものを収まる範囲で記録することもできるし、ユーザの希望に応じて、過去のものを記録することもできる。印字の書き替え方法として、ＳＦ金額積み増し時にはＳＦ情報の部分のみ書き替え、定期券部分は書き替えないようにすることで印字速度を上げることができる。
【００３９】
【発明の効果】
以上詳述したようにこの発明によれば、非接触ＩＣカードを用いて繰り返し再生して利用でき、さらに最新情報を目視することができるようにした非接触ＩＣカードリチャージ機を提供することができる。
【図面の簡単な説明】
【図１】この発明の非接触ＩＣカードの構成を示す図。
【図２】非接触ＩＣカードのリチャージ機の接客面の外観構成を示す図。
【図３】非接触ＩＣカードのリチャージ機の概略構成を示すブロック図。
【図４】タッチパネルＬＣＤの表示例を示す図。
【図５】タッチパネルＬＣＤの表示例を示す図。
【図６】タッチパネルＬＣＤの表示例を示す図。
【図７】タッチパネルＬＣＤの表示例を示す図。
【図８】従来のＳＦカードにおける追記型の使用履歴印字例を示す図。
【符号の説明】
１０…非接触ＩＣカード
２１…タッチパネルＬＣＤ（選択手段、表示手段、入力手段）
２２…ＩＣカード挿入口
２３…紙幣挿入口
２４…コイン投入口
２５…使用履歴／レシートプリンタ用紙出口
２６…釣銭返却口
３０…主制御部（制御手段）
３１…ＩＣカードインタフェース（読出手段）
３２…リライト印字機構（印字手段）
３３…紙幣処理ユニット
３４…コイン処理ユニット
３５…プリンタ
３６…上位機器インタフェース
【図１】
0004519224.tif 000002
【図２】
0004519224.tif 000003
【図３】
0004519224.tif 000004
【図４】
0004519224.tif 000005
【図５】
0004519224.tif 000006
【図６】
0004519224.tif 000007
【図７】
0004519224.tif 000008
【図８】
0004519224.tif 000009